【事件の表示】
　特願２０１６−２２８５１７号「遊技機」拒絶査定不服審判事件〔平成３０年５月３１日出願公開、特開２０１８−８２９４７号〕について、次のとおり審決する。
【結　論】
　本件審判の請求は、成り立たない。
【理　由】
第１　手続の経緯の概要
　本願は、平成２８年１１月２５日の出願であって、平成３０年２月２７日付けで拒絶の理由が通知され、同年４月２５日に意見書及び手続補正書が提出され、同年９月１１日付けで最後の拒絶の理由の通知がされ、同年１１月９日に意見書及び手続補正書が提出されたところ、平成３１年４月１０日付けで、平成３０年１１月９日付け手続補正が却下されるとともに拒絶査定（謄本の送達日：平成３１年４月１６日。以下「原査定」という。）がなされ、それに対して、令和１年７月１０日に拒絶査定不服審判の請求がなされると同時に手続補正がなされたものである。
第２　令和１年７月１０日にされた手続補正についての補正の却下の決定 
［補正の却下の決定の結論］ 
　令和１年７月１０日にされた手続補正（以下「本件補正」という。）を却下する。 
　 
［理由］ 
１　補正の内容
　本件補正は、特許請求の範囲の請求項１を補正するものであり、本件補正により、平成３０年４月２５日付け手続補正書の特許請求の範囲の請求項１における
「【請求項１】
　それぞれが複数種の識別図柄を含む複数の識別図柄群が変動表示され、全ての識別図柄群の変動が停止または擬似停止することで生じる図柄組み合わせが全て同じ識別図柄によって構成される当たり組み合わせとなることで当否判定結果が当たりであることが報知される遊技機であって、
　前記複数の識別図柄群として、第一識別図柄群および第二識別図柄群と、これらの識別図柄群よりも後に変動が停止または擬似停止する第三識別図柄群が設定され、
　前記第一識別図柄群および前記第二識別図柄群の変動が停止または擬似停止することによって表示される識別図柄が同じとなる態様であって、未だ当否判定結果が当たりとなる可能性が残されている態様がリーチ態様として設定されており、
　前記複数種の識別図柄のそれぞれには、前記当たり組み合わせを構成するものとなった場合に前記遊技者が享受する利益を示唆する価値要素が設定されており、
　前記リーチ態様が構成されていない状態から、前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能であることを特徴とする遊技機。」は、
　令和１年７月１０日付け手続補正書の特許請求の範囲の請求項１における
「【請求項１】
　それぞれが複数種の識別図柄を含む複数の識別図柄群が変動表示され、全ての識別図柄群の変動が停止または擬似停止することで生じる図柄組み合わせが全て同じ識別図柄によって構成される当たり組み合わせとなることで当否判定結果が当たりであることが報知される遊技機であって、
　前記複数の識別図柄群として、第一識別図柄群および第二識別図柄群と、これらの識別図柄群よりも後に変動が停止または擬似停止する第三識別図柄群が設定され、
　前記第一識別図柄群および前記第二識別図柄群の変動が停止または擬似停止することによって表示される識別図柄が同じとなる態様であって、未だ当否判定結果が当たりとなる可能性が残されている態様がリーチ態様として設定されており、
　前記複数種の識別図柄のそれぞれには、前記当たり組み合わせを構成するものとなった場合に前記遊技者が享受する利益を示唆する価値要素が設定されており、
　前記第一識別図柄群から選択されて停止または擬似停止した識別図柄と前記第二識別図柄群から選択されて停止または擬似停止した識別図柄とが一致せず
で、前記第三識別図柄群の変動が停止または擬似停止して特殊組み合わせが構築されたときには、
２　補正の目的及び新規事項について
　本件補正は、補正前の請求項１に記載した発明を特定するために必要な事項である「リーチ変化演出」に関して、
（１）「前記リーチ態様が構成されていない状態」が、「前記第一識別図柄群から選択されて停止または擬似停止した識別図柄と前記第二識別図柄群から選択されて停止または擬似停止した識別図柄とが一致」しないものであることを限定するとともに、
（２）「リーチ変化演出が実行可能である」のが、「前記第三識別図柄群の変動が停止または擬似停止して特殊組み合わせが構築されたとき」であることを限定するものである。
　そして、補正後の請求項１に係る発明は、補正前の請求項１に係る発明と、産業上の利用分野及び解決しようとする課題が同一であるから、本件補正は、特許法第１７条の２第５項第２号に掲げる「特許請求の範囲の減縮」を目的とする補正に該当する。  
　また、本件補正は、願書に最初に添付した明細書の【００３１】〜【００３３】及び図４等の記載からみて、新規事項を追加するものではないから、特許法第１７条の２第３項に規定する要件を満たす。
３　独立特許要件
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。 
（１）本件補正発明 
　本件補正発明は、上記「１　補正の内容」において示した次のとおりのものである（記号Ａ〜Ｅは、分説するため当審にて付した）。 
「Ａ　それぞれが複数種の識別図柄を含む複数の識別図柄群が変動表示され、全ての識別図柄群の変動が停止または擬似停止することで生じる図柄組み合わせが全て同じ識別図柄によって構成される当たり組み合わせとなることで当否判定結果が当たりであることが報知される遊技機であって、
Ｂ　前記複数の識別図柄群として、第一識別図柄群および第二識別図柄群と、これらの識別図柄群よりも後に変動が停止または擬似停止する第三識別図柄群が設定され、
Ｃ　前記第一識別図柄群および前記第二識別図柄群の変動が停止または擬似停止することによって表示される識別図柄が同じとなる態様であって、未だ当否判定結果が当たりとなる可能性が残されている態様がリーチ態様として設定されており、
Ｄ　前記複数種の識別図柄のそれぞれには、前記当たり組み合わせを構成するものとなった場合に前記遊技者が享受する利益を示唆する価値要素が設定されており、
Ｅ　前記第一識別図柄群から選択されて停止または擬似停止した識別図柄と前記第二識別図柄群から選択されて停止または擬似停止した識別図柄とが一致せず前記リーチ態様が構成されていない状態で、前記第三識別図柄群の変動が停止または擬似停止して特殊組み合わせが構築されたときには、前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能であることを特徴とする遊技機。」 
　なお、本件補正発明は、平成３１年４月１０日付け補正の却下の決定により却下された、平成３０年１１月９日付け手続補正書における請求項１に係る発明と同じものである。
（２）引用文献１に記載された事項及び引用発明
　原査定の拒絶の理由及び平成３１年４月１０日付け補正の却下の決定において引用され、本願の出願前に頒布された又は電気通信回線を通じて公衆に利用可能となった文献である、特開２００２−２００２６０号公報（以下「引用文献１」という。）には、以下の事項が記載されている（下線は当審にて付した。以下同じ）。
・記載事項
ア　「【０００３】
【発明が解決しようとする課題】このような従来のパチンコ機（遊技機）では、図柄が変動を開始してからリーチ状態になるまでの一連の動作が単純である。例えば、左、右、中の順で変動を停止する３つの図柄表示列を備えたパチンコ機において、リーチ状態を形成するためには、最初に左図柄表示列に表示される図柄によって、次に右図柄表示列に表示される図柄は一義的に特定される。従って、例えばすべり等の特殊な動作によって図柄表示列の変動態様を種々変化させても、遊技者の抱くリーチや大当たりに対する期待感を今一歩増加させることができなかった。
【０００４】本発明はこのような点に鑑みてなされたものであり、その目的とするところは、
表示画面に図柄を変動させて表示する遊技機において、表示画面の図柄が変動を開始してから特定の表示態様を形成するまでの遊技過程に新規な興趣を与え、遊技者の期待感を増加させることができる技術を提供すること
イ　「【００１３】図１において、本発明の遊技機としての
パチンコ機１０の遊技盤面１２上には、複合装置１４、
第１種始動口３０
が
配置されている。
ウ　「【００１６】次に、図２を参照しながら複合装置１４の構成について説明する。図２に示すように、
複合装置１４には、
特別図柄表示器２０
が設けられている。
【００１７】
特別図柄表示器２０の表示画面２１
に３つの図柄表示列（左図柄表示列１１０、中図柄表示列１３０、右図柄表示列１５０）が形成され
、図柄表示列１１０，１３０，１５０に表示された特別図柄の配列によって、遊技者に大当たり遊技を付与する大当たりか否かを報知する。
特別図柄によって大当たり図柄配列（
同じ図柄が３つ揃った場合）を形成した場合が「大当たり」であり、
図柄表示列１１０，１３０，１５０に表示される特別図柄はいずれも「０」〜「９」の計１０種類である。
【００１８】次に、第１実施の形態の
特別図柄表示器２０の表示画面２１に表示される態様について、図３〜図８を参照しながら詳細に説明する。なお、これらの図において、変動している図柄表示列を図中下向きの矢印で示している。
パチンコ球が第１種始動口３０に入賞すると、特別図柄表示器２０の表示画面２１の３つの図柄表示列１１０，１３０，１５０は、
変動
を開始する。
左図柄表示列１１０、右図柄表示列１５０、中図柄表示列１３０の順で図柄の変動を停止する。
エ　「【００１９】なお、パチンコ機の
遊技制御部では
第１種始動口３０にパチンコ球が入賞すると、
大当たり判定乱数
が取得される。大当たり判定乱数は大当たりにするか否かの決定に用いられ、
オ　「【００２０】
表示画面２１に、例えば図４に示すような図柄配列「３，↓，７」が表示される
「停止」には、所定の位置で完全に変動が止まっている場合以外に、所定の位置で小刻みに微動や揺動しているような場合も含む
このような場合、一旦停止して表示された左図柄表示列１１０の図柄「３」および右図柄表示列１５０の図柄「７」を、
再変動させ
、この再変動によって表示画面２１にリーチ図柄配列
を形成させることができる。
【００２１】以下、第１実施の形態における
左図柄表示列１１０および右図柄表示列１５０に表示されている図柄が
再変動する際に、各構成面に図柄が配置された多面体１２０，１６０
が表示される。変動開始時には、
多面体１２０の構成面の一つに図柄「３」が表示され、多面体１６０の構成面の一つに図柄「７」が表示されている。
【００２２】具体的には、
多面体１２０，１６０が回転変動する過程において例えば図５に示すような図柄が表示される。
左図柄表示列１１０では、回転変動開始前に
表示されていた図柄「３」に加え、
図柄「７」が表示される。また、右図柄表示列１５０では、回転変動開始前に
表示されていた図柄「７」に加え、
図柄「２」が表示される。
【００２３】このような場合、左図柄表示列１１０と右図柄表示列１５０に同じ図柄「７」が表示されており、この図柄「７」を用いてリーチ図柄配列「７，↓，７」を形成させることができる。なお、本実施の形態では、図５に示す状態から更に、左図柄表示列１１０および右図柄表示列１５０の立方体が回転変動する場合について説明する。今度は、左図柄表示列１１０および右図柄表示列１５０の多面体１２０，１６０が、回転軸１１０ｂおよび回転軸１５０ｂを回転中心として所定の方向、例えば前回り方向へ回転変動する。このような回転変動では、多面体１２０，１６０の構成面（六面）のうち最大で三面が表示されることとなる。
【００２４】具体的には、
多面体１２０，１６０が回転変動する過程において例えば図６に示すような図柄が表示される。
左図柄表示列１１０では、
図柄「３」および
図柄「７」に加え、
図柄「６」が表示される。また、右図柄表示列１５０では、
図柄「７」および
図柄「２」に加え、
図柄「３」が表示される。
【００２５】そして、
このような場合、左図柄表示列１１０および右図柄表示列１５０に、同じ図柄「３」と図柄「７」が表示されており、この図柄「３」と図柄「７」を改めて左図柄表示列１１０および右図柄表示列１５０に表示させることで、図７に示すようにいわゆるダブルリーチを形成させることができる。この場合、リーチラインＬ１１上にリーチ図柄配列「７，↓，７」が形成され、リーチラインＬ１２上にリーチ図柄配列「３，↓，３」が形成されることとなる。
カ　「【００２７】以上のように、第１実施の形態のパチンコ機によれば、表示画面２１に一旦はずれ図柄配列を形成した場合でも、多面体１２０，１６０を回転変動させることで図柄の表示数を増加させリーチ図柄配列を形成させることができる。とりわけ、各多面体１２０，１６０を回転方向が異なる２つの回転軸を用いて回転変動させるため、図柄数の変更における自由度が増す。これにより、画面表示に今までにない新規な面白さをもたらすことができる。また、第１実施の形態のパチンコ機によれば、図柄が回転変動する際に表示される図柄（数字）が連続していなため、回転変動する際に増える図柄に意外性を持たせ、遊技者の期待感を増加させることができる。また、
回転変動時に増える図柄に
確率変動図柄（
奇数）を用いる
キ　【図４】
ク　【図５】
ケ　【図６】
コ　【図７】
・認定事項
サ　上記オにて摘記した【００２０】における「表示画面２１に、例えば図４に示すような図柄配列「３，↓，７」が表示される・・・このような場合、一旦停止して表示された左図柄表示列１１０の図柄「３」および右図柄表示列１５０の図柄「７」を、・・・再変動させ・・・、この再変動によって表示画面２１にリーチ図柄配列・・・を形成させることができる。」との記載、同【００２１】における「左図柄表示列１１０および右図柄表示列１５０に表示されている図柄が・・・再変動する際に、各構成面に図柄が配置された多面体１２０，１６０・・・が表示される。変動開始時には、・・・多面体１２０の構成面の一つに図柄「３」が表示され、多面体１６０の構成面の一つに図柄「７」が表示されている。」との記載、同【００２２】における「多面体１２０，１６０が回転変動する過程において例えば図５に示すような図柄が表示される。・・・左図柄表示列１１０では、回転変動開始前に・・・表示されていた図柄「３」に加え、・・・図柄「７」が表示される。また、右図柄表示列１５０では、回転変動開始前に・・・表示されていた図柄「７」に加え、・・・図柄「２」が表示される。」との記載、同【００２４】における「多面体１２０，１６０が回転変動する過程において例えば図６に示すような図柄が表示される。・・・左図柄表示列１１０では、・・・図柄「３」および・・・図柄「７」に加え、・・・図柄「６」が表示される。また、右図柄表示列１５０では、・・・図柄「７」および・・・図柄「２」に加え、・・・図柄「３」が表示される。」との記載、同【００２５】における「このような場合、左図柄表示列１１０および右図柄表示列１５０に、同じ図柄「３」と図柄「７」が表示されており、この図柄「３」と図柄「７」を改めて左図柄表示列１１０および右図柄表示列１５０に表示させることで、図７に示すようにいわゆるダブルリーチを形成させることができる。この場合、リーチラインＬ１１上にリーチ図柄配列「７，↓，７」が形成され、リーチラインＬ１２上にリーチ図柄配列「３，↓，３」が形成されることとなる。」との記載、及び、上記キ〜コに示した図４〜７の図示内容を参酌すると、引用文献１には、
表示画面２１において、左図柄表示列１１０の図柄「３」および右図柄表示列１５０の図柄「７」が一旦停止して表示された後、左図柄表示列１１０および右図柄表示列１５０に、各構成面に図柄が配置された多面体１２０，１６０をそれぞれ表示し、当該多面体１２０，１６０を回転変動させて、左図柄表示列１１０の図柄および右図柄表示列１５０の図柄を再変動させ、再変動の過程において、左図柄表示列１１０では、回転変動開始前に表示されていた図柄「３」に加えて図柄「７」が表示され、右図柄表示列１５０では、回転変動開始前に表示されていた図柄「７」に加えて図柄「３」が表示され、左図柄表示列１１０および右図柄表示列１５０に同じ図柄「３」と図柄「７」が表示される場合があり、この場合、図柄「３」によるリーチ図柄配列と図柄「７」によるリーチ図柄配列とが形成される
シ　上記ウにて摘記した【００１８】には「特別図柄表示器２０の表示画面２１に表示される態様について、図３〜図８を参照しながら詳細に説明する。なお、これらの図において、変動している図柄表示列を図中下向きの矢印で示している。」と記載され、上記キ〜コに示した図４〜７における中図柄表示列１３０の位置には、いずれも「変動中」という文字が付された下向きの矢印が図示されている。
　したがって、上記サの認定事項も合わせて考慮すると、引用文献１には、
左図柄表示列１１０の図柄および右図柄表示列１５０の図柄が、一旦停止して表示された後、再変動し、リーチ図柄配列を形成する過程において、中図柄表示列１３０は変動し続ける
　上記ア〜コの記載事項及び上記サ〜シの図示内容を総合すると、引用文献１には次の発明（以下「引用発明」という。）が記載されていると認められる（ａ〜ｅは、本件補正発明のＡ〜Ｅに対応させて付与した）。 
（引用発明）
　「ａ、ｂ　遊技盤面１２上には、複合装置１４、第１種始動口３０が配置され（【００１３】）、複合装置１４には特別図柄表示器２０が設けられ（【００１６】）、特別図柄表示器２０の表示画面２１に３つの図柄表示列（左図柄表示列１１０、中図柄表示列１３０、右図柄表示列１５０）が形成され、図柄表示列１１０，１３０，１５０に表示される特別図柄はいずれも「０」〜「９」の計１０種類であり（【００１７】）、
　第１種始動口３０にパチンコ球が入賞すると、遊技制御部では、大当たり判定乱数が取得され、大当たり判定乱数は大当たりにするか否かの決定に用いられ（【００１９】）、
　パチンコ球が第１種始動口３０に入賞すると、特別図柄表示器２０の表示画面２１の３つの図柄表示列１１０，１３０，１５０は、変動を開始し、左図柄表示列１１０、右図柄表示列１５０、中図柄表示列１３０の順で図柄の変動を停止し（【００１８】）、「停止」には、所定の位置で完全に変動が止まっている場合以外に、所定の位置で小刻みに微動や揺動しているような場合も含み（【００２０】）、
　図柄表示列１１０，１３０，１５０に表示された特別図柄の配列によって、遊技者に大当たり遊技を付与する大当たりか否かを報知し、特別図柄によって大当たり図柄配列（同じ図柄が３つ揃った場合）を形成した場合が「大当たり」である（【００１７】）、パチンコ機１０であって（【００１３】）、
ｃ、ｄ、ｅ　表示画面２１において、左図柄表示列１１０の図柄「３」および右図柄表示列１５０の図柄「７」が一旦停止して表示された後、左図柄表示列１１０および右図柄表示列１５０に、各構成面に図柄が配置された多面体１２０，１６０をそれぞれ表示し、当該多面体１２０，１６０を回転変動させて、左図柄表示列１１０の図柄および右図柄表示列１５０の図柄を再変動させ、再変動の過程において、左図柄表示列１１０では、回転変動開始前に表示されていた図柄「３」に加えて図柄「７」が表示され、右図柄表示列１５０では、回転変動開始前に表示されていた図柄「７」に加えて図柄「３」が表示され、左図柄表示列１１０および右図柄表示列１５０に同じ図柄「３」と図柄「７」が表示される場合があり、この場合、図柄「３」によるリーチ図柄配列と図柄「７」によるリーチ図柄配列とが形成され（認定事項サ）、
　左図柄表示列１１０の図柄および右図柄表示列１５０の図柄が、一旦停止して表示された後、再変動し、リーチ図柄配列を形成する過程において、中図柄表示列１３０は変動し続け（認定事項シ）、
　回転変動時に増える図柄に確率変動図柄（奇数）を用いる（【００２７】）、パチンコ機１０（【００１３】）。」 
（３）引用文献２に記載された事項
　平成３１年４月１０日付け補正の却下の決定において引用され、本願の出願前に頒布された又は電気通信回線を通じて公衆に利用可能となった文献である、特開２０１３−１７５２５号公報（以下「引用文献２」という。）には、以下の事項が記載されている。
ア　「【０００７】
　そこで、本発明は上記した問題点に鑑みなされたものであり、疑似連続演出の継続を報知する
特定の識別情報の表示により遊技の興趣を向上可能な遊技機を提供することを目的とする。
イ　「【００５２】
　上記の通り、補助遊技としての特図変動表示ゲーム（第１特図変動表示ゲーム及び第２特図変動表示ゲーム）は、遊技盤３０に設けられた状態表示器４２で実行される。そして、
変動表示装置３５では、
特図変動表示ゲームに対応して、複数の識別情報（飾り図柄）を変動表示する飾り特図変動表示ゲームが実行される。
特図変動表示ゲームの結果が大当りとなる場合には、
飾り特図変動表示ゲームの結果態様は特別結果態様
となる。
ウ　「【００７１】
　よって、例えば特図変動表示ゲームに対応して変動表示装置３５に表示される
飾り特図変動表示ゲームが、変動表示装置３５における左、中、右の変動表示領域の各々で
複数の識別情報を変動表示した後、左、右、中の順で変動表示を停止して結果態様を表示するものである場合、左、右の変動表示領域において
同一の識別情報で変動表示が停止した状態がリーチ状態
エ　「【０２２８】
　期待度が高く、変動時間が長めに設定される変動パターン４、５、７、８、１０、１１では、１つの始動記憶を使用して実行される
１回の特図変動表示ゲーム中において、変動表示装置３５に変動表示される飾り図柄
を特別結果態様以外の停止態様で
仮停止
させて複数回の変動表示ゲームが連続して行われているかのような疑似連続演出を実行する。
オ　「【０３８４】
　図３７は、特殊リプレイ図柄の種類を示す図である。図３７に示す
特殊リプレイ図柄
は、疑似連続演出の継続
を報知可能な識別情報である。
カ　「【０４０８】
　本実施形態における遊技機１では、
疑似連続演出が実行されない場合においても、
特殊リプレイ図柄が表示されることがある
左右２つの飾り図柄がはずれ態様を形成した後に、中央の飾り図柄が特殊リプレイ図柄
に制御され仮停止する。
特殊リプレイ図柄
の仮停止直後に
左右２つの飾り図柄がリーチ態様を形成するように変化する
キ　【図４３】（Ａ−１）〜（Ｃ−１）
　上記ア〜キの記載事項を総合すると、引用文献２には次の事項（以下「引用文献２記載の事項」という。）が記載されていると認められる。
　「変動表示装置３５では、特図変動表示ゲームに対応して、複数の識別情報（飾り図柄）を変動表示する飾り特図変動表示ゲームが実行され、特図変動表示ゲームの結果が大当りとなる場合には、飾り特図変動表示ゲームの結果態様は特別結果態様となり（「【００５２】）、
　飾り特図変動表示ゲームが、変動表示装置３５における左、中、右の変動表示領域の各々で複数の識別情報を変動表示した後、左、右、中の順で変動表示を停止して結果態様を表示するものであり、左、右の変動表示領域において同一の識別情報で変動表示が停止した状態がリーチ状態となり（【００７１】）、
　１回の特図変動表示ゲーム中において、変動表示装置３５に変動表示される飾り図柄を特別結果態様以外の停止態様で仮停止させて複数回の変動表示ゲームが連続して行われているかのような疑似連続演出を実行し（【０２２８】）、
　特殊リプレイ図柄は、疑似連続演出の継続を報知可能な識別情報であり（【０３８４】）、
　疑似連続演出が実行されない場合においても、特殊リプレイ図柄が表示されることがあり、左右２つの飾り図柄が一致しないはずれ態様を形成した後に、中央の飾り図柄が特殊リプレイ図柄に制御され仮停止し、特殊リプレイ図柄の仮停止直後に、左右２つの飾り図柄がリーチ態様を形成するように変化する（【０４０８】、【図４３】（Ａ−１）〜（Ｃ−１））、
　遊技機（【０００７】）。」
（４）対比 
　本件補正発明と引用発明とを、分説に従い対比する。 
（ａ）引用発明における「「０」〜「９」の計１０種類であ」る「特別図柄」は、本件補正発明の構成Ａの「複数種の識別図柄」に相当し、引用発明の「いずれも「０」〜「９」の計１０種類であ」る「特別図柄」が「表示される」「左図柄表示列１１０、中図柄表示列１３０、右図柄表示列１５０」は、本件補正発明の構成Ａの「それぞれが複数種の識別図柄を含む複数の識別図柄群」に相当し、引用発明の「表示画面２１の３つの図柄表示列１１０，１３０，１５０は、変動を開始」することは、本件補正発明の構成Ａの「複数の識別図柄群が変動表示され」ることに相当する。
　また、引用発明の「左図柄表示列１１０、右図柄表示列１５０、中図柄表示列１３０の順で図柄の変動を停止」することは、引用発明の「「停止」には、所定の位置で完全に変動が止まっている場合以外に、所定の位置で小刻みに微動や揺動しているような場合も含」むことも踏まえると、本件補正発明の構成Ａの「識別図柄群の変動が停止または擬似停止すること」に相当し、引用発明における「左図柄表示列１１０、右図柄表示列１５０、中図柄表示列１３０の順で図柄の変動を停止し」、「図柄表示列１１０，１３０，１５０に表示された特別図柄の配列」は、本件補正発明の構成Ａの「全ての識別図柄群の変動が停止または擬似停止することで生じる図柄組み合わせ」に相当し、引用発明における「大当たり図柄配列（同じ図柄が３つ揃った場合）」は、本件補正発明の構成Ａの「全て同じ識別図柄によって構成される当たり組み合わせ」に相当する。
　そして、引用発明の「大当たりにするか否かの決定」は、本件補正発明の構成Ａの「当否判定」に相当し、引用発明における「図柄表示列１１０，１３０，１５０に表示された特別図柄の配列によって、遊技者に大当たり遊技を付与する大当たりか否かを報知し、特別図柄によって大当たり図柄配列（同じ図柄が３つ揃った場合）を形成した場合が「大当たり」である」ことは、本件補正発明の構成Ａの「全ての識別図柄群の変動が停止または擬似停止することで生じる図柄組み合わせが全て同じ識別図柄によって構成される当たり組み合わせとなることで当否判定結果が当たりであることが報知される」ことに相当する。
　さらに、引用発明における「パチンコ機１０」は、本件補正発明の構成Ａの「遊技機」に相当する。
　してみると、引用発明は、本件補正発明の構成Ａに相当する構成を具備している。  
（ｂ）引用発明における「左図柄表示列１１０」、「右図柄表示列１５０」は、それぞれ、本件補正発明の構成Ｂの「第一識別図柄群」、「第二識別図柄群」に相当する。
　また、引用発明は「左図柄表示列１１０、右図柄表示列１５０、中図柄表示列１３０の順で図柄の変動を停止」することから、引用発明の「中図柄表示列１３０」は、本件補正発明の構成Ｂの「これらの識別図柄群よりも後に変動が停止または擬似停止する第三識別図柄群」に相当する。
　してみると、引用発明は、本件補正発明の構成Ｂに相当する構成を具備している。
（ｃ）引用発明の「左図柄表示列１１０および右図柄表示列１５０に同じ図柄」「が表示される」「リーチ図柄配列」は、本件補正発明の構成Ｃの「前記第一識別図柄群および前記第二識別図柄群の変動が停止または擬似停止することによって表示される識別図柄が同じとなる態様であ」る「リーチ態様」に相当する。
　また、引用発明は「特別図柄によって大当たり図柄配列（同じ図柄が３つ揃った場合）を形成した場合が「大当たり」である」ところ、引用発明の「左図柄表示列１１０および右図柄表示列１５０に同じ図柄」「が表示される」「リーチ図柄配列」が形成された状態では、未だ大当りとなる可能性が残されていることは明らかであるから、かかる「リーチ図柄配列」は、本件補正発明の構成Ｃの「未だ当否判定結果が当たりとなる可能性が残されている態様」に相当する。
　してみると、引用発明は、本件補正発明の構成Ｃに相当する構成を具備している。
（ｄ）引用発明は「回転変動時に増える図柄にいわゆる確率変動図柄（奇数）を用いる」ことから、引用発明においては、「「０」〜「９」の計１０種類であ」る「特別図柄」のうち、「奇数」の「特別図柄」が「確率変動図柄」として設定されており、それ以外の「特別図柄」は「確率変動図柄」ではない図柄として設定されているものと認められる。
　引用発明において「奇数」の「特別図柄」が「確率変動図柄」として設定され、それ以外の「特別図柄」は「確率変動図柄」ではない図柄として設定されることは、本件補正発明の構成Ｄの「前記複数種の識別図柄のそれぞれには、前記当たり組み合わせを構成するものとなった場合に前記遊技者が享受する利益を示唆する価値要素が設定されて」いることに相当する。
　してみると、引用発明は、本件補正発明の構成Ｄに相当する構成を具備している。
（ｅ）引用発明における「一旦停止して表示された」「左図柄表示列１１０の図柄「３」」及び「右図柄表示列１５０の図柄「７」」は、それぞれ、本件補正発明の構成Ｅの「前記第一識別図柄群から選択されて停止または擬似停止した識別図柄」及び「前記第二識別図柄群から選択されて停止または擬似停止した識別図柄」に相当し、引用発明における「左図柄表示列１１０の図柄「３」および右図柄表示列１５０の図柄「７」が一旦停止して表示された」状態は、本件補正発明の構成Ｅの「前記第一識別図柄群から選択されて停止または擬似停止した識別図柄と前記第二識別図柄群から選択されて停止または擬似停止した識別図柄とが一致せず前記リーチ態様が構成されていない状態」に相当する。
　また、引用発明における「図柄「３」によるリーチ図柄配列と図柄「７」によるリーチ図柄配列とが形成され」た状態は、本件補正発明の構成Ｅの「前記第一識別図柄群から選択されて停止または擬似停止した識別図柄による第一リーチ態様と、前記第二識別図柄群から選択されて停止または擬似停止した識別図柄による第二リーチ態様が構成された状態」に相当する。
　そして、引用発明は、「左図柄表示列１１０の図柄「３」および右図柄表示列１５０の図柄「７」が一旦停止して表示された」状態から、「左図柄表示列１１０および右図柄表示列１５０に、各構成面に図柄が配置された多面体１２０，１６０をそれぞれ表示し、当該多面体１２０，１６０を回転変動させて、左図柄表示列１１０の図柄および右図柄表示列１５０の図柄を再変動させ」、「再変動の過程において」、「左図柄表示列１１０および右図柄表示列１５０に同じ図柄「３」と図柄「７」が表示される場合」には、「図柄「３」によるリーチ図柄配列と図柄「７」によるリーチ図柄配列とが形成され」た状態とするものであり、かかる構成は、本件補正発明の構成Ｅの「前記第一識別図柄群から選択されて停止または擬似停止した識別図柄と前記第二識別図柄群から選択されて停止または擬似停止した識別図柄とが一致せず前記リーチ態様が構成されていない状態で、」「前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能である」ことに相当する。
　してみると、引用発明と本件補正発明の構成Ｅとは、「前記第一識別図柄群から選択されて停止または擬似停止した識別図柄と前記第二識別図柄群から選択されて停止または擬似停止した識別図柄とが一致せず前記リーチ態様が構成されていない状態で、」「前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能である」「遊技機」である点で共通している。
　上記（ａ）〜（ｅ）によれば、本件補正発明と引用発明とは、 
「Ａ　それぞれが複数種の識別図柄を含む複数の識別図柄群が変動表示され、全ての識別図柄群の変動が停止または擬似停止することで生じる図柄組み合わせが全て同じ識別図柄によって構成される当たり組み合わせとなることで当否判定結果が当たりであることが報知される遊技機であって、
Ｂ　前記複数の識別図柄群として、第一識別図柄群および第二識別図柄群と、これらの識別図柄群よりも後に変動が停止または擬似停止する第三識別図柄群が設定され、
Ｃ　前記第一識別図柄群および前記第二識別図柄群の変動が停止または擬似停止することによって表示される識別図柄が同じとなる態様であって、未だ当否判定結果が当たりとなる可能性が残されている態様がリーチ態様として設定されており、
Ｄ　前記複数種の識別図柄のそれぞれには、前記当たり組み合わせを構成するものとなった場合に前記遊技者が享受する利益を示唆する価値要素が設定されており、
Ｅ’　前記第一識別図柄群から選択されて停止または擬似停止した識別図柄と前記第二識別図柄群から選択されて停止または擬似停止した識別図柄とが一致せず前記リーチ態様が構成されていない状態で、前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能である遊技機。」
の点で一致し、次の点で相違する。 
　 
［相違点］（構成Ｅに関して） 
　本件補正発明が、前記第一識別図柄群から選択されて停止または擬似停止した識別図柄と前記第二識別図柄群から選択されて停止または擬似停止した識別図柄とが一致せず前記リーチ態様が構成されていない状態で、前記第三識別図柄群の変動が停止または擬似停止して特殊組み合わせが構築されたときには、リーチ変化演出が実行可能であるのに対して、引用発明は、左図柄表示列１１０（「第一識別図柄群」）の図柄および右図柄表示列１５０（「第二識別図柄群」）の図柄が、一旦停止して表示された後、再変動し、リーチ図柄配列を形成する過程において、中図柄表示列１３０（「第三識別図柄群」）は変動し続けるものであり（認定事項シ）、中図柄表示列１３０の変動が停止または擬似停止して特殊組み合わせが構築されたときに、リーチ変化演出が実行可能なものではない点。 
（５）当審合議体の判断 
ア　相違点について
　上記（３）にて説示したとおり、引用文献２記載の事項は以下のとおりである。 
　「変動表示装置３５では、特図変動表示ゲームに対応して、複数の識別情報（飾り図柄）を変動表示する飾り特図変動表示ゲームが実行され、特図変動表示ゲームの結果が大当りとなる場合には、飾り特図変動表示ゲームの結果態様は特別結果態様となり、
　飾り特図変動表示ゲームが、変動表示装置３５における左、中、右の変動表示領域の各々で複数の識別情報を変動表示した後、左、右、中の順で変動表示を停止して結果態様を表示するものであり、左、右の変動表示領域において同一の識別情報で変動表示が停止した状態がリーチ状態となり、
　１回の特図変動表示ゲーム中において、変動表示装置３５に変動表示される飾り図柄を特別結果態様以外の停止態様で仮停止させて複数回の変動表示ゲームが連続して行われているかのような疑似連続演出を実行し、
　特殊リプレイ図柄は、疑似連続演出の継続を報知可能な識別情報であり、
　疑似連続演出が実行されない場合においても、特殊リプレイ図柄が表示されることがあり、左右２つの飾り図柄が一致しないはずれ態様を形成した後に、中央の飾り図柄が特殊リプレイ図柄に制御され仮停止し、特殊リプレイ図柄の仮停止直後に、左右２つの飾り図柄がリーチ態様を形成するように変化する、
　遊技機。」
　引用文献２記載の事項の「複数の識別情報（飾り図柄）」は、本件補正発明の「複数種の識別図柄」に相当し、同様に、「左、中、右の変動表示領域の各々で」「変動表示」される「複数の識別情報」は、「識別図柄群」に相当する。
　また、引用文献２記載の事項の「左、中、右の変動表示領域の各々で」「変動表示」される「複数の識別情報」は、「左、右、中の順で変動表示を停止して結果態様を表示する」ものであるから、引用文献２記載の事項の「左」「の変動表示領域」で「変動表示」される「複数の識別情報」、「右の変動表示領域」で「変動表示」される「複数の識別情報」及び「中」「の変動表示領域」で「変動表示」される「複数の識別情報」は、それぞれ、本件補正発明の「第一識別図柄群」、「第二識別図柄群」及び「第三識別図柄群」に相当する。
　そして、引用文献２記載の事項の「左右２つの飾り図柄が一致しないはずれ態様を形成した」状態は、本件補正発明の「前記第一識別図柄群から選択されて停止」「した識別図柄と前記第二識別図柄群から選択されて停止」「した識別図柄とが一致せず前記リーチ態様が構成されていない状態」に相当し、以下同様に、「中央の飾り図柄が特殊リプレイ図柄に制御され仮停止」したときは、「前記第三識別図柄群の変動が」「擬似停止して特殊組み合わせが構築されたとき」に、「左右２つの飾り図柄がリーチ態様を形成するように変化する」ことは、「リーチ態様が構成された状態に変化する」ことに、それぞれ相当する。
　してみると、引用文献２記載の事項の「疑似連続演出が実行されない場合においても、特殊リプレイ図柄が表示される」場合に、「左右２つの飾り図柄が一致しないはずれ態様を形成した後に、中央の飾り図柄が特殊リプレイ図柄に制御され仮停止し、特殊リプレイ図柄の仮停止直後に、左右２つの飾り図柄がリーチ態様を形成するように変化する」ことは、本件補正発明の「前記第一識別図柄群から選択されて停止」「した識別図柄と前記第二識別図柄群から選択されて停止」「した識別図柄とが一致せず前記リーチ態様が構成されていない状態で、前記第三識別図柄群の変動が」「擬似停止して特殊組み合わせが構築されたときには、」「リーチ態様が構成された状態に変化するリーチ変化演出が実行可能であること」に相当する。
　そして、引用発明と引用文献２記載の事項とは、遊技機という共通の技術分野に属し、図柄変動表示における興趣を向上させるという共通の課題を解決するものであり（上記（２）の記載事項ア、上記（３）の記載事項アを参照）、また、リーチ態様が構成されていない状態から、リーチ態様が構成された状態に変化するリーチ変化演出という共通の演出技術に関するものである。
　よって、引用発明におけるリーチ変化演出における興趣を向上させるために、リーチ変化演出が実行可能となる契機として、引用文献２記載の事項の「リーチ態様が構成されていない状態で、前記第三識別図柄群の変動が」「擬似停止して特殊組み合わせが構築されたとき」を採用し、「前記第一識別図柄群から選択されて停止または擬似停止した識別図柄と前記第二識別図柄群から選択されて停止または擬似停止した識別図柄とが一致せず前記リーチ態様が構成されていない状態で、前記第三識別図柄群の変動が」「擬似停止して特殊組み合わせが構築されたときには、リーチ変化演出が実行可能である」ようにして、上記相違点に係る本件補正発明の構成とすることは、当業者が容易に想到し得たことである。
イ　効果について
　本件補正発明により奏される、リーチに関する演出により遊技の趣向性を向上させる（【０００４】）という効果は、当業者が、引用発明及び引用文献２記載の事項から予測し得る範囲内のものであり、格別顕著なものということはできない。
ウ　請求人の主張について 
（ア）請求人は、令和１年７月１０日付け審判請求書において、次のとおり主張している。なお、以下の主張における「引用文献１」は上記引用文献１である。
　
　「（４）原査定が取り消されるべきものである理由
４−１）第一の理由 
　審査においては、出願人がした平成３０年１１月９日付け意見書の主張が採用できない理由として、
『また、出願人は、同意見書において、「引用文献１においては、図７に示されるダブルリーチが構成された状態の前の状態である図６に示される状態においては、左図柄は「３」「６」「７」であり、右図柄は「２」「３」「７」であることから、左図柄と右図柄の一部が一致しているといえる。」と主張するが、図６に示される状態（左図柄に「３」「６」「７」、右図柄に「２」「３」「７」が 表示された状態）は、
回転変動による再変動を示すものであるから
　以下、当該第一の判断が妥当であるかどうか検討する。
（ａ）引用文献１の図６に示す状態は「回転変動による再変動を示すもの」であることを根拠に出願人の主張を退けていることから、まずかかる点について検討する。 
　本願発明は、「前記第一識別図柄群から選択されて
停止または擬似停止した識別図柄
停止または擬似停止した識別図柄
（ｂ）また、引用文献１の段落００２４、００２５には「多面体１２０，１６０が回転変動する過程において例えば図６に示すような図柄が表示される。すなわち、左図柄表示列１１０では、従前に第１面１２１に表示されていた図柄「３」および第２面１２２に表示されていた図柄「７」に加え、第３面１２３に図柄「６」が表示される。また、右図柄表示列１５０では、従前に第１面１６１に表示されていた図柄「７」および第２面１６２に表示されていた図柄「２」に加え、第３面１６３に図柄「３」が表示される。」「そして、このような場合、左図柄表示列１１０および右図柄表示列１５０に、同じ図柄「３」と図柄「７」が表示されており、この図柄「３」と図柄「７」を
改めて
に表示させる
　かかる記載からすると、引用文献１に記載される発明では、図６に示す状態で既にリーチが構成されていることは表示されているのであって、それが図７に示すように「改めて」表示されるのに過ぎないといえる。すなわち、図７が「改めて」表示された状態であるということは、図６に示す段階からリーチが構成されていることは表示された状態にあると認定するのが日本語の解釈として妥当である（図６から図７の変化は、リーチを構成しない図柄が排除されたに過ぎない）。そうすると、図６に示される状態は、「前記第一識別図柄群から選択されて停止または擬似停止した識別図柄と前記第二識別図柄群から選択されて停止または擬似停止した識別図柄とが一致せず前記リーチ態様が構成されていない状態」と認定することはできない。 
　上記（ａ）および（ｂ）の理由から、審査においてなされた第一の判断は妥当性を欠くものであると思料する。よって、当該第一の判断に基づいてなされた原査定は取り消されるべきものである。」
　請求人の上記主張について検討する。
　請求人の主張の概略は、引用文献１の図６に示される状態が、本件補正発明における「前記第一識別図柄群から選択されて停止または擬似停止した識別図柄と前記第二識別図柄群から選択されて停止または擬似停止した識別図柄とが一致せず前記リーチ態様が構成されていない状態」に相当するものではないことを理由に、原査定は取り消されるべきものであるとの主張である。
　しかしながら、上記（４）（ｅ）で説示したとおり、引用発明における「左図柄表示列１１０の図柄「３」および右図柄表示列１５０の図柄「７」が一旦停止して表示された」状態（引用文献１の図４に示される状態）が、本件補正発明の上記「リーチ態様が構成されていない状態」に相当するのであって、引用文献１の図６に示される状態が、本件補正発明の上記「リーチ態様が構成されていない状態」に相当するものではない。
　そして、原査定の拒絶の理由（平成３０年９月１１日付けで通知された拒絶の理由）において、「引用文献１（特に、段落００２０〜００２７、図４〜図７）には、左図柄に「３」、右図柄に「７」が停止し、中図柄が変動している状態から、「３」と「７」のダブルリーチを形成する遊技機が記載されている。・・・したがって、請求項１に係る発明と、引用文献１に記載された発明とは、発明を特定する事項に差異はない。」と説示されていることからすると、引用文献１の図４に示される状態ではなく、引用文献１の図６に示される状態が、本件補正発明の上記「リーチ態様が構成されていない状態」に相当するとの認定の基で、審査における判断がなされたと解することもできない。
　したがって、請求人の上記主張は当を得ないものであり、採用することはできない。
（イ）また、請求人は、上記審判請求書において、次のとおり主張している。
　「４−２）第二の理由 
　審査においては、出願人がした平成３０年１１月９日付け意見書の主張が採用できない理由として、 
　『なお、仮に、その点が相違するとしても、引用文献１の段落００３６には、図柄が再変動する変動態様は回転変動や展開変動に限定されず、必要に応じて種々変更可能であることが記載されており、補正後の請求項１に記載されたようなリーチ変化演出とすることは、当業者が容易に想到し得ることである。』（以下、第二の判断と称する）としているが、何故「図柄が再変動する変動態様」を変更することが、本願発明のリーチ変化演出に結びつくのか不明である（「図柄が再変動する変動態様」を変更することは、本願発明と全く関係ないのではないか）。 
　すなわち、本願発明は、リーチ変化演出に関する識別図柄の変動態様を特殊な態様とするといった特定を全くしていないのであるから、「図柄が再変動する変動態様を必要に応じて種々変更」したからといって、本願発明に到達することはない。つまり、上記第二の判断は、図柄が再変動する変動態様を必要に応じて種々変更」すること（原因・理由）と、本願発明を当業者が容易に想到し得たこと（結果）とが結びついていない論理展開がなされたものであるから、これに基づいて本願を拒絶とした原査定は取り消されるべきものであると思料する。」
　請求人の上記主張について検討する。
　請求人が上記主張において引用する、平成３１年４月１０日付け補正の却下の決定には、次のとおり記載されている（下線は、当審にて付した）。
　「また、出願人は、同意見書において、「引用文献１においては、図７に示されるダブルリーチが構成された状態の前の状態である図６に示される状態においては、左図柄は「３」「６」「７」であり、右図柄は「２」「３」「７」であることから、左図柄と右図柄の一部が一致しているといえる。」と主張するが、図６に示される状態（左図柄に「３」「６」「７」、右図柄に「２」「３」「７」が表示された状態）は、回転変動による再変動を示すものであるから、
補正後の請求項１で特定される、「前記第一識別図柄群から選択されて停止または擬似停止した識別図柄と前記第二識別図柄群から選択されて停止または擬似停止した識別図柄とが一致せず前記リーチ態様が構成されていない状態」と差異があるものとは認められず、
　
なお、仮に、その点が相違するとしても、
　上記記載中の「なお、仮に、その点が相違するとしても、」以降の記載は、本件補正発明と引用発明とが「その点」において相違するとした場合の、予備的な見解を示したものであると解され、また、当該記載における「その点」とは、その前段における「補正後の請求項１で特定される、「前記第一識別図柄群から選択されて停止または擬似停止した識別図柄と前記第二識別図柄群から選択されて停止または擬似停止した識別図柄とが一致せず前記リーチ態様が構成されていない状態」」との点を指しているものと解される。
　そして、上記（４）（ｅ）にて説示したとおり、引用発明は、本件補正発明の「前記第一識別図柄群から選択されて停止または擬似停止した識別図柄と前記第二識別図柄群から選択されて停止または擬似停止した識別図柄とが一致せず前記リーチ態様が構成されていない状態」に相当する構成を具備しており、本件補正発明と引用発明とは、上記補正の却下の決定における「その点」で相違するものではないから、上記補正の却下の決定において示された予備的な見解は、その前提を欠くものであり、当該予備的な見解の妥当性は、原審における補正の却下の決定の妥当性に影響を及ぼすものでないから、補正の却下の上でされた原査定における判断の妥当性に影響を及ぼすものでもない。
　したがって、請求人の上記主張は当を得ないものであり、採用することはできない。
（６）小括 
　よって、本件補正発明は、引用発明及び引用文献２記載の事項に基いて当業者が容易に発明をすることができたものであるから、特許法第２９条第２項の規定により、特許出願の際に独立して特許を受けることができないものである。 
４　まとめ 
　上記１〜３より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。 
第３　本願発明について 
１　本願発明
　本件補正は、上記のとおり却下されることとなったので、本願の請求項１に係る発明（以下、「本願発明」という。）は、平成３０年４月２５日付け手続補正書における特許請求の範囲の請求項１に記載された次のとおりのものであると認める（記号Ａ〜Ｅ’’は、分説するため当審にて付した）。
「Ａ　それぞれが複数種の識別図柄を含む複数の識別図柄群が変動表示され、全ての識別図柄群の変動が停止または擬似停止することで生じる図柄組み合わせが全て同じ識別図柄によって構成される当たり組み合わせとなることで当否判定結果が当たりであることが報知される遊技機であって、
Ｂ　前記複数の識別図柄群として、第一識別図柄群および第二識別図柄群と、これらの識別図柄群よりも後に変動が停止または擬似停止する第三識別図柄群が設定され、
Ｃ　前記第一識別図柄群および前記第二識別図柄群の変動が停止または擬似停止することによって表示される識別図柄が同じとなる態様であって、未だ当否判定結果が当たりとなる可能性が残されている態様がリーチ態様として設定されており、
Ｄ　前記複数種の識別図柄のそれぞれには、前記当たり組み合わせを構成するものとなった場合に前記遊技者が享受する利益を示唆する価値要素が設定されており、
Ｅ’’　前記リーチ態様が構成されていない状態から、前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能であることを特徴とする遊技機。」
２　原査定の拒絶の理由の概要
　原査定の拒絶の理由は、この出願の請求項１に係る発明は、その出願前に日本国内又は外国において、頒布された又は電気通信回線を通じて公衆に利用可能となった下記の引用文献１に記載された発明であるから、特許法第２９条第１項第３号に該当し、特許を受けることができない、との理由を含むものである。
１．特開２００２−２００２６０号公報
３　引用文献 
　原査定の拒絶の理由で引用された引用文献１の記載事項及び引用発明の認定については、上記「第２　３（２）引用文献１に記載された事項及び引用発明」に記載したとおりである。 
４　対比・判断
　本願発明の構成Ａ〜Ｄは、本件補正発明の構成Ａ〜Ｄと同じであり、上記「第２　３（４）対比」で説示したとおり、引用発明は、本願発明の構成Ａ〜Ｄに相当する構成を具備している。
　また、引用発明が、「左図柄表示列１１０の図柄「３」および右図柄表示列１５０の図柄「７」が一旦停止して表示された」状態から、「左図柄表示列１１０および右図柄表示列１５０に、各構成面に図柄が配置された多面体１２０，１６０をそれぞれ表示し、当該多面体１２０，１６０を回転変動させて、左図柄表示列１１０の図柄および右図柄表示列１５０の図柄を再変動させ」、「再変動の過程において」、「左図柄表示列１１０および右図柄表示列１５０に同じ図柄「３」と図柄「７」が表示される場合」には、「図柄「３」によるリーチ図柄配列と図柄「７」によるリーチ図柄配列とが形成され」た状態とすることは、本願発明の構成Ｅ’’の「前記リーチ態様が構成されていない状態から、前記第一識別図柄群から選択されて停止または擬似停止した識別図柄による第一リーチ態様と、前記第二識別図柄群から選択されて停止または擬似停止した識別図柄による第二リーチ態様が構成された状態に変化するリーチ変化演出が実行可能である」ことに相当する。
　してみると、引用発明は、本願発明の構成Ｅ’’に相当する構成を具備している。
　したがって、本願発明と引用発明との間に相違点はなく、本願発明は引用発明である。
第４　むすび 
　以上のとおり、本願発明は、特許法第２９条第１項第３号に該当し、特許を受けることができないものであるから、本願は拒絶されるべきものである。
　よって、結論のとおり審決する。